(57)【特許請求の範囲】
【請求項１】
映像生成方法であって、
少なくとも一つの符号を受け取るステップと、
少なくとも一つの光点を含む第一映像をキャプチャするステップと、
前記第一映像を複製し、複数の第一複製映像を提供するステップと、
前記符号に基づき、前記これらの第一複製映像を移動させ、複数の第一移動映像を得るステップと、
前記これらの第一移動映像の同じ位置の対応する画素の輝度値を演算し、第二映像を生成させるステップと、
を含むことを特徴とする、映像生成方法。
【請求項２】
前記光点は少なくとも一つの画素を含み、その輝度値は前記第一映像の非光点領域の輝度値より大きいことを特徴とする、請求項１に記載の映像生成方法。
【請求項３】
前記した画素の輝度値の演算は、
前記これら第一移動映像の対応する画素の輝度値を掛け合わせ、これを対応する比重とさせるステップと、
比重付された後の前記これらの第一移動映像の対応する画素の輝度値を足し合わせ、再度割ることにより、前記比重の総和とするステップと、
を含むことを特徴とする、請求項１に記載の映像生成方法。
【請求項４】
前記した画素の輝度値の演算は、
少なくとも二つの前記第一移動映像の対応する画素の輝度値を演算し、合成映像を生成するステップと、
前記符号に基づき、前記合成映像を複製させ、移動させることにより、複数の合成移動映像を提供するステップと、
を含むことを特徴とする、請求項１に記載の映像生成方法。
【請求項５】
前記これらの合成移動映像の対応する画素の輝度値を平均させ、前記第二映像を生成させるステップを含むことを特徴とする、請求項４に記載の映像生成方法。
【請求項６】
映像生成方法であって、
少なくとも一つの光点を含む第一映像をキャプチャするステップと、
少なくとも一つの符号を受け取るステップと、
前記第一映像を複製させ、複数の第一複製映像を提供するステップと、
前記符号に基づき、前記これらの第一複製映像を移動させ、複数の第一移動映像を得るステップと、
前記これらの第一移動映像の同じ位置の対応する画素の輝度値を演算し、前記符号の光跡を描く第二映像を生成させるステップと、
を含むことを特徴とする、映像生成方法。
【請求項７】
前記光点は少なくとも一つの画素を含み、その輝度値は前記第一映像の非光点領域の輝度値より大きいことを特徴とする、請求項６に記載の映像生成方法。
【請求項８】
前記した画素の輝度値の演算は、
前記これら第一移動映像の対応する画素の輝度値を掛け合わせ、これを対応する比重とさせるステップと、
比重付された後の前記これらの第一移動映像の対応する画素の輝度値を足し合わせ、再度割ることにより、前記比重の総和とするステップと、
を含むことを特徴とする、請求項６に記載の映像生成方法。
【請求項９】
前記した画素の輝度値の演算は、
少なくとも二つの前記第一移動映像の対応する画素の輝度値を平均させ、合成映像を生成するステップと、
前記符号に基づき、前記合成映像を複製させ、移動させることにより、複数の合成移動映像を提供するステップと、
を含むことを特徴とする、請求項６に記載の映像生成方法。
【請求項１０】
前記した画素の輝度値の演算は、
前記これらの合成移動映像の対応する画素の輝度値を平均させ、前記第二映像を生成するステップを含むことを特徴とする、請求項９に記載の映像生成方法。
【請求項１１】
映像生成方法であって、
少なくとも一つの符号を受け取るステップと、
光点を含む第一映像を複製させ、複数の第一複製映像を提供するステップと、
前記符号に基づき、前記これらの第一複製映像を移動させ、複数の第一移動映像を得るステップと、
前記これらの第一移動映像の同じ位置の対応する画素の輝度値を演算することにより、第二映像を生成するステップと、を含むことを特徴とする、映像生成方法。
【請求項１２】
前記第一映像は少なくとも一つの画素を有する光点を少なくとも一つ含み、その輝度値は前記第一映像の非光点領域の輝度値より大きいことを特徴とする、請求項１１に記載の映像生成方法。
【請求項１３】
前記した画素の輝度値の演算は、
前記これら第一移動映像の対応する画素の輝度値を掛け合わせ、これを対応する比重とさせるステップと、
比重付された後の前記これらの第一移動映像の対応する画素の輝度値を足し合わせ、再度割ることにより、前記比重の総和とするステップと、
を含むことを特徴とする、請求項１１に記載の映像生成方法。
【請求項１４】
前記した画素の輝度値の演算は、
少なくとも二つの前記第一移動映像の対応する画素の輝度値を平均させ、合成映像を生成するステップと、
前記符号に基づき、前記合成映像を複製させ、移動させることにより、複数の合成移動映像を提供するステップと、
前記これらの合成移動映像の対応する画素の輝度値を平均させ、前記第二映像を生成するステップとを含むことを特徴とする、請求項１１に記載の映像生成方法。
【発明の詳細な説明】
【技術分野】
【０００１】
本発明は映像生成方法に関し、より詳しくは、光跡を有する映像を生成する方法に関する。
【背景技術】
【０００２】
カメラは映像をキャプチャする以外に、それが提供する各種機能を利用することにより、芸術作品を生み出すことができる。光跡の描写が生成されるのは露光期間のカメラの移動によるものであり、光点によって形成される光跡を暗い背景映像上に重ね合わせる。
【発明の概要】
【発明が解決しようとする課題】
【０００３】
しかしながら、前述した従来の技術では、一般ユーザーがカメラの使用に精通していなかったり、カメラの機能の制限を受けたりすることによって、すべての人が順調に光跡の描写を生成させられるわけではなかった。
【０００４】
本発明は、このような従来の問題に鑑みてなされたものである。上記課題解決のため、本発明は、光跡を有する映像を生成させる方法であって、少なくとも一つの符号を描くために用いられ、かつ、該方法は自動的に該映像を生成させる方法を提供することを主目的とする。
【０００５】
上述した課題を解決し、目的を達成するために、本発明に係る映像生成方法は、
少なくとも一つの符号を受け取るステップと、
少なくとも一つの光点を含む第一映像をキャプチャするステップと、
第一映像複製し、複数の第一複製映像を提供するステップと、
符号に基づき、これらの第一複製映像を移動させ、複数の第一移動映像を得るステップと、
これらの第一移動映像の対応する画素の輝度値を演算し、第二映像を生成させるステップと、
を含むことを特徴とする。
【０００６】
本発明の第１実施形態によれば、少なくとも一つの符号を受け取り、かつ、少なくとも一つの光点を有する第一映像をキャプチャする。そして、第一映像を複製させることにより、第一複製映像を提供し、かつ、符号に基づき、これら第一複製映像を移動させ、複数の第一移動映像を獲得する。最後に、これら第一移動映像の対応する画素の輝度値を演算し、符号の軌跡の描写を有する第二映像を生成させる。
【０００７】
本発明の第２実施形態によれば、符号を受け取る前、先に第一映像をキャプチャする。本発明の第３実施形態によれば、符号を受け取る前、あらかじめ第一映像を提供させる。
【図面の簡単な説明】
【０００８】
【図１】本発明に係る映像キャプチャ装置のブロック図である。
【図２】本発明の第一実施形態に係る映像生成方法のフローチャートである。
【図３Ａ】表示ユニットに表示される符号を示す。
【図３Ｂ】信号処理前の原始符号を示す。
【図３Ｃ】信号処理後の処理符号を示す。
【図４Ａ】表示ユニットに表示される符号を示す。
【図４Ｂ】光点を有する第一映像を示す。
【図４Ｃ】互いに重なった三個の第一移動映像を示す。
【図４Ｄ】重なっていない三個の第一移動映像を示す。
【図５】第一実施形態の別の変化型実施形態の演算ステップの詳細なフローチャートである。
【図６Ａ】符号を示す。
【図６Ｂ】二つの第一移動映像と合成映像を示す。
【図６Ｃ】二つの合成移動映像と第二映像を示す。
【図７】本発明の第二実施形態の映像生成方法のフローチャートである。
【図８】本発明の第三実施形態の映像生成方法のフローチャートである。
【発明を実施するための形態】
【０００９】
以下に図面を参照して本発明を実施するための形態について、詳細に説明する。なお、本発明は、以下に説明する実施形態に限定されるものではない。
【００１０】
本発明の実施形態に係る映像生成方法は第１図の本発明に係る映像キャプチャ装置のブロック図で示されており、少なくとも一つの映像やビデオをキャプチャするために用いられる。本発明の実施形態では、映像キャプチャ装置１は少なくとも一つの光跡に対応する符号の映像を生成させる。映像キャプチャ装置１は電子装置内に設けられ、例えば、カメラ、デジタルカメラ、デジタルビデオ、携帯電話、ビデオカメラ、デジタルミュージックプレイヤー、ＰＤＡや、インターネットカメラなどである。
【００１１】
図１によれば、映像キャプチャ装置１は主に、入力ユニット１０、表示ユニット１１、保存装置１３、演算センター１４を含む。本実施形態の入力ユニット１０は符号を入力することができ、ここでは、入力ユニット１０は人性化入力装置であり、例えば、タッチパネル、お絵かきパネル、指標入力装置や、キーボードである。本実施形態の表示ユニット１１は映像や符号を表示でき、表示ユニット１１は液晶ディスプレイや有機発光ダイオードディスプレイであるが、これらに限られるわけではない。これ以外に、入力ユニット１０と表示ユニット１１は一体で入力と表示の機能を採用しているタッチディスプレイでもよい。保存装置１３は符号、映像や、ビデオを保存し、符号は入力ユニット１０により入力されるか、或いは、あらかじめ保存装置１３に保存され、映像とビデオは映像キャプチャ装置１によってキャプチャされるか、或いは、あらかじめ保存装置１３に保存される。保存装置１３は映像キャプチャ装置１内に設けられ、例えば、ハードディスクやメモリ装置であり、或いは、分解可能な保存装置であり、例えば、メモリカード、安全デジタルメモリカードや、マルチメディアメモリカードである。演算センター１４は符号、映像や、ビデオに対して信号処理を行い、これは中央処理ユニットや、デジタル信号処理器である。
【００１２】
図１、図２、図３Ａによれば、図２は本発明の第一実施形態に係る映像生成方法のフローチャートであり、図３Ａは表示ユニット１１に表示される符号１２Ａを示す。図１に記載の映像キャプチャ装置１は第２図のフローに用いられる。ステップ１０１に関し、符号１２は入力ユニット１０から入力されるか、符号１２Ａは保存装置１３から受け取られ、符号１２Ａは表示ユニット１１上に表示される。前述された入力ユニット１０と表示ユニット１１は例えば、タッチパネルとして一体形成させられる。
【００１３】
図１、図２、図３Ａによれば、ステップ１０２に関し、演算センター１４によって符号１２Ａに対して信号処理が行われ、符号１２Ａの湾曲したラインや粗い線分の処理、ノイズ除去がなされ、符号１２Ａの各線分はより滑らかになる。具体的にいえば、事実上、演算センター１４は符号の各線分に対して、ローパスフィルタ、バンドパスフィルタ、有限インパルス応答(Finite Impulse Response)や、無限インパルス応答(infinite impulse response)などの信号処理を行う。
【００１４】
図１、図２、図３Ｂ、図３Ｃによれば、原始符号１２Ｃは粗い円形を例としており、例えば、原始符号１２Ｃの円心は（０，０）に位置づけられ、半径は１である。ここでは、原始符号１２Ｃはユーザーによって、入力ユニット１０から手書き入力されるか、保存装置１３から読み取られる。図３Ｃはステップ１０２を行った後の処理符号１２Ｄを示しており、例えば、演算センター１４は原始符号１２Ｃの各線分に対して、ローパスフィルタを行い、各線分のデータを平均させる。つまり、円心は（０，０）に位置づけられ、半径が１の処理符号１２Ｄは滑らかな縁を有する。
【００１５】
図１と図２によれば、ステップ１０３に関し、映像キャプチャ装置１によって第一映像はキャプチャされる。ここでは、第一映像は少なくとも一つの光点を有し、光点は少なくとも一つの画素を有し、画素の輝度値は第一映像の非光点領域の輝度値より大きい。
【００１６】
図２によれば、ステップ１０４に関し、第一映像を複製させることにより、複数の第一複製映像が提供される。さらに、ステップステップ１０５では、第一複製映像の部分画素の輝度値に対して、選択的な調整が行われる。この実施形態では、非光点領域の画素の輝度値は低下するが、光点の画素の輝度値は変わらない。そのため、すべてのステップを行った後、生成される映像は明るすぎることはない。
【００１７】
図１、図２、図４Ａから図４Ｄによれば、ステップ１０６に関し、符号に基づき、第一映像の座標を変換させ、それぞれこれら第一複製映像に対して移動を行い、複数の第一移動映像が獲得され、かつ、第一移動映像は暫定的に保存装置１３に保存される。具体的にいえば、まず符号は複数の線分に分割され、それぞれの線分は短い直線とほぼ同じである。これら分割された線分は組み合わせられた後、符号を描くことができる。図４Ａは符号３０を示しており、これは表示ユニット１１に表示される；図４Ｂは光点３２０を有する第一映像３２Ａを示す。便宜上説明を加えると、ここでは光点３２０のみが表示され、かつ、５×５画素を有する第一画素３２Ａに対してのみ説明を加える。ここでは、画素の座標は（ｘ，ｙ）であり、ｘは左から右に１−５と表示し、ｙは上から下に１−５と表示する。この例では、符号３０は（５，１）から（３，３）へと伸びる直線線分であり、かつ、光点３２０は（５，１）に位置づけられる。図４Ｃは互いに重なる三個の第一移動映像３２Ａ、３２Ｂ、３２Ｃを示しており、図４Ｄは重ならないすべての第一移動映像３２Ａ、３２Ｂ、３２Ｃを示す。第一移動映像３２Ａ上の光点は（５，１）の右上部分に位置づけられる符号３０を描くために用いられる。第一移動映像３２Ｂの光点は（４，２）に位置づけられ、（４，２）の中間部分に位置づけられる符号３０を描くために用いられる。第一移動映像３２Ｃの光点は（３，３）に位置づけられ、（３，３）の左下部分に位置づけられる符号を描くために用いられ、重ね合わせが完成した後、符号３０を有する映像が得られる。
【００１８】
図１、図２、図４Ａから図４Ｃによれば、ステップ１０７に関し、具体的にいえば、実際上これは、演算センター１４によって、移動後のこれら第一移動映像上の各画素の輝度値は累積させられ、これにより、すべての第一移動映像を重ね合わせる目的が達成させられ、例えば、第一移動映像３２Ａ、３２Ｂ、３２Ｃは符号３０のような光跡を有する第二画像を生成する。本実施形態では、これら第一移動映像の対応する画素の輝度値はまず対応する比重を掛け合わせ、次に、掛け合わせた後の輝度値を足し合わせて、さらに割ることにより、比重の総和とする。例えば、もしｎ個の第一映像を重ね合わせる場合、比重付された後の輝度値は足し合わせた後、さらに割られ、比重の総和となる。上述の演算は以下のように示される。
【００１９】
【数１】
0005318898.tif 000002
ここでは、wzは第ｚ個の第一移動映像の比重であり、Fx,y,zは第ｚ個の第一移動映像の画素（ｘ，ｙ）の輝度値であり、Sx,yは第二映像の画素（ｘ，ｙ）の輝度値であり、かつ、ｎはこれら第一移動映像の総数である。
【００２０】
もし符号が百や千個の画素を含む場合、演算センター１４はステップ１０７の演算を行うために相当な時間を必要とする。この演算を加速させるため、別の方法が提供され、これによりステップ１０７を行い、図５に示される。
【００２１】
図１、図５、図６Ａから図６Ｃによれば、本実施形態の主要な原理は、二つの短い線分を重ね合わせることにより、比較的長い線分を合成させることであり、さらに、この比較的長い線分に複製や、移動の処理を行うことにより、光跡を有する第二映像を生成させることである。具体的にいえば、ステップ１０７１に関して、少なくとも二つの第一移動画像の対応する画素の輝度値を演算することによって、合成映像を生成させる。図６Ａは符号５０を示している。図６Ｂの左側は二つの第一移動映像５２Ａ／５２Ｂを示しており、その右側は合成映像５２Ｓを示している。そして、ステップ１０７２に関して、合成映像５２Ｓに基づき、複製と移動を経て、複数の合成移動映像が提供され、例えば図６Ｃ左側に示されるように、その方法は前述のステップ１０４と１０６に類似している。続いて、ステップ１０７３に関して、これら合成移動映像の画素を掛け合わせ、演算センター１４はこれら合成移動映像の輝度値を演算し、平均させ、第二映像を生成させ、例えば、図６Ｃの右側に示されるように、その方法は前述のステップ１０７に類似している。図６Ａから図６Ｃに示す例に関して、図５に基づくフローではたった二回の掛け合わせによって第二映像を生成できるが、図２に基づくフローでは四回の掛け合わせが必要である。したがって、図５に示すフローは輝度値の演算を加速させることになる。
【００２２】
図７は本発明の第二実施形態の映像生成方法のフローを示す。第二実施形態は第一実施形態と類似しているが、異なる部分は、第一映像をキャプチャするステップ１０３はまず符号を受け取るステップ１０１である点である。さらに、第二実施形態のステップ１０７は図５のステップ１０７１−１０７３によって置き換えてもよい。
【００２３】
図１から図８によれば、第三実施形態は第一実施形態と類似しているが、異なる部分は、第三実施形態は第一映像をキャプチャするステップ１０３が不要である点である。置き換えられているのは、第一映像はあらかじめ提供され、例えば、あらかじめ第一映像は保存装置１３に保存される。さらに、第三実施形態のステップ１０７も図５のステップ１０７１―１０７３によって置き換えてもよい。
【００２４】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２５】
１  映像キャプチャ装置
１０  入力ユニット
１１  表示ユニット
１２Ａ  符号
１２Ｃ  原始符号
１２Ｄ  処理符号
１３  保存装置
１４  演算センター
３０  符号
３２Ａ−３２Ｃ  第一移動映像
３２０  光点
５０  符号
５２Ａ−５２Ｂ  第一移動映像
５２  合成映像
１０１−１０７  ステップ
１０７１−１０７３  ステップ
【図１】
0005318898.tif 000003
【図２】
0005318898.tif 000004
【図３Ａ】
0005318898.tif 000005
【図３Ｂ】
0005318898.tif 000006
【図３Ｃ】
0005318898.tif 000007
【図４Ａ】
0005318898.tif 000008
【図４Ｂ】
0005318898.tif 000009
【図４Ｃ】
0005318898.tif 000010
【図４Ｄ】
0005318898.tif 000011
【図５】
0005318898.tif 000012
【図６Ａ】
0005318898.tif 000013
【図６Ｂ】
0005318898.tif 000014
【図６Ｃ】
0005318898.tif 000015
【図７】
0005318898.tif 000016
【図８】
0005318898.tif 000017